(57)【要約】【課題】折り畳み機構を開けたとき何らの操作なしで、待受画面に最新着信情報を表示する携帯電話機であり、利用者がメールアドレスを変更しても、待受画面に最新着信情報を表示する。【解決手段】待受画面に最新の受信情報を表示するためのブラウザを有する携帯電話機１であって、この携帯電話機には、運用開始時に、サーバ２からダウンロードした待受画面生成プログラムを常駐している。このプログラムは、サーバから随時最新情報を入手するので、待受画面には、常に新しい情報を表示する。また、サブスクライバーＩＤ宛への送信なので、配信は確実である。【選択図】図１
2005033716.tif 000002
【特許請求の範囲】
【請求項１】
待受画面に最新の受信情報を表示するためのブラウザを有し、待受画面生成プログラム実行環境にある携帯電話機であって、待受画面生成プログラムエリアと受信情報エリアと用語エリアを備える記録部と、常時受信を実行する回路を備える通信部と、新着直前に待受画面にある旧情報を上書きする機能を実行する回路を備える更新部と、受信情報に存在する用語を検索する機能を実行する回路を備える検索部と、折り畳み機構を開いたとき待受画面を表示する機能を実行する表示器を備える表示部と、携帯電話機の操作を実行するに必要なファンクションキーを備える操作部と、を具備し、サーバからダウンロードした前記待受画面生成プログラムを常駐することを特徴とする携帯電話機。
【請求項２】
待受画面に最新の受信情報を表示するためのブラウザを有し、待受画面生成プログラム実行環境にある携帯電話機に常駐する前記待受画面生成プログラムであって、常時サーバから情報を受信するステップと、前記情報を前記受信情報エリアに保存するステップと、新着直前に待受画面にある旧情報を更新するステップと、更新された最新情報の文中に存在する用語と、設定登録し、前記用語エリアに格納されている用語と比較して、該当用語を検索するステップと、該当用語がある場合、該当部分のレイアウト変更、色彩変更、動的表示など、待受画面の表現を加工するステップと、待受画面を表示するステップと、を実行することを特徴とする待受画面生成プログラム。
【請求項３】
待受画面に最新の受信情報を表示するためのブラウザを有する携帯電話機を用いて、前記待受画面生成プログラムを取得する方法であって、サーバにアクセスする工程と、個人名、メールアドレス、電話番号よりなる利用者の固有情報を、サーバの個人情報エリアに入力する工程と、待受画面生成プログラム配布条件を確認する工程と、待受画面生成プログラムをダウンロードする工程と、ダウンロードした待受画面生成プログラムを携帯電話機に常駐させる工程と、を含むことを特徴とする待受画面生成プログラムの取得方法。
【請求項４】
前記固有情報には、携帯電話機の型番、製造番号をサブスクライバーＩＤとする情報を含むことを特徴とする請求項３の待受画面生成プログラムの取得方法。
【請求項５】
待受画面に最新の受信情報を表示するためのブラウザを有し、待受画面生成プログラム実行環境にある携帯電話機を用いて、待受画面に最新の受信情報を表示するためのサーバ側における情報の配信方法であって、携帯電話機のアクセスに対応する工程と、携帯電話機の有する固有の情報が、登録されているかどうかを判断する工程と、登録されていると判断された場合携帯電話機のサブスクライバーＩＤを割り出す工程と、前記サブスクライバーＩＤ毎に保存されている通信情報を抽出する工程と、前記サブスクライバーＩＤ宛に通信情報を配信する工程と、を含むことを特徴とする情報の配信方法。  
【発明の詳細な説明】
【技術分野】
【０００１】
本発明は、折り畳み機構を開けたときの待受画面に最新着信情報を表示する機能を有する携帯電話機に関するものである。
【背景技術】
【０００２】
利用者が携帯電話機を利用するとき、折り畳み機構を開け、ファンクションキーを操作して、メニューをクリックする。受信状況を確認し、待受画面に表示されている、ＵＲＬ・タイトル・アイコンなどを読みとる。必要メールを選択し、クリックする。待受画面上で本文を見るという手順が一般的である。この手順は、一見して単純そうに見えるが、煩雑であり、重要なメールを見るタイミングを失い、緊急を要する情報に対応出来ない可能性がある。
【０００３】
メールを受信しても、表示操作を忘れて、見ることが出来ない場合もある。また、メールサーバまで取りに行く間に情報を盗み見される可能性があるなどの欠点がある。
【０００４】
異常情報受信拒否のためにするスパム対策のために、利用者は、メールアドレスを変更する場合が多い。メールアドレスを変更した携帯電話機は、情報を受領することが出来なくなるという不都合を生じる。利用者が携帯電話機を利用する場合において、これらの欠点は操作性に関して大きな障害である。
【０００５】
この改善策として、折り畳み機構を有する携帯電話機において、折り畳み機構を操作することなく電話網から送られてくる最新の情報を背面表示する方法もあるが、着信時の状況表示ではあっても、情報の内容表示ではなく、情報の内容を表示するには、更に、手順を重ねる必要がある。
【特許文献１】特開２００２−１４１９９３号公報
【非特許文献１】「cdmaOne型式A5302CA取扱説明書」カシオ計算機株式会社2002.12第４版
【発明の開示】
【発明が解決しようとする課題】
【０００６】
解決しようとする問題点は、折り畳み機構を有する携帯電話機であって、折り畳み機構を開いたとき何らの操作なしで、待受画面に最新着信情報を表示する点であり、また、折り畳み機構を開けたとき緊急性を訴える機能を発揮する点であり、さらには、利用者がメールアドレスを変更しても、待受画面に最新着信情報を表示する点である。
【課題を解決するための手段】
【０００７】
本発明は、待受画面生成プログラム実行環境にある携帯電話機であって、待受画面に最新の受信情報を表示するための待受画面生成プログラムを常駐することを最も主要な特徴とする。
【発明の効果】
【０００８】
本発明は、携帯電話機は、待受画面生成プログラムを搭載しているので、折り畳み機構を開けるのみで、他に煩わしい手順を必要とせず最新情報を直ちに読むことが出来る。携帯電話機は、待受画面生成プログラムを常駐しているので、常時最新情報を入手することが出来る。用語を検索する機能を有しているので、携帯電話機を開けたとき緊急性など環境状況を知らしめることが出来る。携帯電話機への情報は、携帯電話機の有するメールアドレス宛に送信されるのではなく、サブスクライバーＩＤ宛への送信なので、配信は確実である。情報は圧縮されているので、通信途上で盗聴されにくい、という利点がある。
【発明を実施するための最良の形態】
【０００９】
本発明は、Java（登録商標第4108642号）プログラム又はBREW（登録商標第4637465号）プログラムを搭載し、待受画面に最新の受信情報を表示するためのブラウザを有し、待受画面生成プログラム実行環境にある携帯電話機であって、携帯電話機の要求に答えるために、サーバが待受画面生成プログラム及び情報を配信する方法を提供する。
【実施例１】
【００１０】
図１は、本発明の構成を示すブロック図であり、図２は、利用者がサーバから待受画面生成プログラムをダウンロードし携帯電話機に常駐させる動作のフローチャートである。図３は、待受画面生成プログラムのフローチャートであり、図４は、サーバの情報配信方法のフローチャートである。
【００１１】
図１によって、本発明の実施例１の携帯電話機１及びサーバ２の主要構成を説明する。携帯電話機１は、通信部１１と、更新部１２と、検索部１３と、表示部１４と、記録部１５と、操作部１６とによって構成される。通信部１１は、常時受信を実行する回路を備え、アンテナ１０を通じて、サーバ２のアンテナ２０と情報の交信を行う。常時受信の常時の意味には、随時又は定時の意味を含む。記録部１５は、待受画面生成プログラムエリア１５１と受信情報エリア１５２と用語エリア１５３を備え、運用開始時にサーバ２からダウンロードした待受画面生成プログラムを、待受画面生成プログラムエリア１５１に保存し、常時入手する情報を、受信情報保存エリア１５２に保存し、文中から抽出したい用語をあらかじめ設定して、用語エリア１５３に保存する。更新部１２は、情報を更新する機能を実行する回路を備え、新着した受信情報を待受画面上にある旧情報と比較して、常に新しい情報を、待受画面に送るように作動する。検索部１３は、用語を検索する機能を実行する回路を備え、待受画面に送られる新しい情報の文中に存在する用語と、設定登録し、用語エリア１５３に保存されている用語と比較して、その結果を待受画面に送るように作動する。表示部１４は、折り畳み機構を開けたとき待受画面に情報を表示するための表示器を備える。操作部１６は、携帯電話機の操作を実行するに必要なファンクションキーを備える。
【００１２】
サーバ２は、サイト画面２１と記録部２２とよりなり、記録部２２には、個人情報エリア２２１と、待受画面生成プログラムエリア２２２と情報エリア２２３とよりなる。携帯電話機１とは、アンテナ２０を通じて交信する。携帯電話機１から、送信される情報は、情報エリア２２３にサブスクライバーＩＤ毎に区分されて、格納される。  
【００１３】
図２によって、本発明の実施例１における待受画面生成プログラムをサーバから入手する手順と携帯電話機１への常駐させる手順を説明する。利用者は、サーバ２のサイト２１にアクセスする（ステップS21）。登録データを入力する（ステップS22）。登録データは、電話番号のほか個人情報を含む。サーバは、携帯電話機の型番、製造番号などをサブスクライバーＩＤとして読みとり個人情報の一部として登録する。これらのデータは、記録部２２の個人情報エリア２２１に保存される。サーバ２は、契約などの配布条件の確認作業を行う（ステップS23）。確認完了次第、記録部２２のプログラムエリア２２２に保存されている待受画面生成プログラムを配信するかどうか判断する。条件が整備されれば、待受画面生成プログラムのダウンロードが開始される（ステップS24）。ダウンロードされた、待受画面生成プログラムは、携帯電話機１の待受画面生成プログラムエリア１５１に保存され、自動で、解凍され、インストールされ、常駐される（ステップS25）。
【００１４】
図３によって、待受画面生成プログラムの作動ステップを説明する。本発明の携帯電話機は、Javaプログラム又はBREWプログラムが搭載されているので、常駐している待受画面生成プログラムは利用者が何ら手を施すことなく、稼働する。一連のステップは、携帯電話機に電源が投入されている限り、常時作動している。但し、待受画面生成プログラムの作動を手動で停止すれば、携帯電話機は、通常の機能に帰着することはいうまでもない。
【００１５】
携帯電話機１は、常時サーバ２にアクセスし、情報を受信する（ステップS31）。サーバ経由でない情報は、汎用の受信経路を通じて、受信する（ステップS32）。受信した情報は、記録部１５の受信情報エリア１５２に保存される（ステップS33）。新着直前に待受画面にある旧情報を更新するために、更新動作が行われる（ステップS34）。更新された最新情報の文中に存在する用語と、設定登録し、用語エリア１５３に格納されている用語と比較して、該当用語を検索する（ステップS35）。検索結果該当用語がある場合、利用者に注意を喚起するため、該当部分のレイアウト変更、色彩変更、動的表示など、待受画面の表現加工を行う（ステップS36）。次に、情報を待受画面に送出する（ステップS37）。利用者が携帯電話機１を開く（ステップS38）。次に、情報は表示され、読みとることが出来る（ステップS39）。
【００１６】
次に、図４によって、サーバ２が、利用者の携帯電話機１に情報を配信する手順について説明する。図３、ステップS31で示したように、利用者側携帯電話機１は、常時サーバ２にアクセスしている。（ステップS41）。サーバ２は、正規なアクセスかどうか、登録されている電話番号かどうかなどを個人情報エリア２２１にあるデータと照合する（ステップS42）。次に、個人情報エリア２２１に記録されているサブスクライバーＩＤを割り出し、同時にサブスクライバーＩＤで、携帯電話機１が正規の利用者のものであるか否かの照合も行っている（ステップS43）。次に、サブスクライバーＩＤ毎に情報エリア２２３に格納されているデータを抽出する（ステップS44）。抽出された情報を圧縮して、サブスクライバーＩＤ宛に送出する（ステップS45）。本実施例では、サーバ２から携帯電話機１へ送信される情報は、メールアドレス宛でなくサブスクライバーＩＤ宛を使用するので、待受画面生成プログラムが作用して、直接待受画面に表示される。
【実施例２】
【００１７】
本発明の第２の実施例は、基本的には、実施例１と同じ構成であるが、携帯電話機の形態が異なる。折り畳み機構を有せず、単に待受画面が、表面に露出している形態の電話機又は折り畳み機構に代わる回転式の形態の電話機にも待受画面生成プログラムを常駐させ、実施例１に記載の作用を適用出来る。
【実施例３】
【００１８】
本発明の第３の実施例は、基本的には、実施例１と同じ構成であるが、待受画面生成プログラムにおける、検索ステップが異なる。相違点は、待受画面生成プログラムにおける、検索ステップを、用語にとらわれず、他の動作条件に置換することである。検索条件を他に置換することは、極めて容易なことであるが、或動作条件に適合した待受画面を瞬時に見えるようにすることで、幅の広い場面で応用することが可能になる。
【産業上の利用可能性】
【００１９】
本発明の携帯電話機は、随時情報をダウンロードし、常に最新情報を待受画面に表示しており、緊急用語を検索する機能を有しているので、あらかじめ特殊用語を設定しておけば、携帯電話機を開けたとき内容を的確に、かつ緊急性を知らしめることが出来る。特に災害救助活動、消火活動の利用には、幅広く適用出来る。定時受信を採用すれば、学習を目的として、幅広く応用することも可能となる。利用者が複数の場合、群管理手法にも使える。
【図面の簡単な説明】
【００２０】
【図１】本発明の構成を示すブロック図である。
【図２】利用者がサーバから待受画面生成プログラムをダウンロードし携帯電話機に常駐させる動作のフローチャートである。
【図３】待受画面生成プログラムのフローチャートである。
【図４】サーバの情報の配信方法のフローチャートである。
【符号の説明】
【００２１】
１  携帯電話機  
１０  アンテナ
１１  通信部
１２  更新部
１３  検索部
１４  表示部
１５  記録部
１５１  待受画面生成プログラムエリア
１５２  情報エリア
１５３  用語エリア
１６  操作部
２  サーバ
２０  アンテナ
２１  サイト
２２  記録部
２２１  個人情報エリア
２２２  待受画面生成プログラムエリア
２２３  情報エリア
【図１】
2005033716.tif 000003
【図２】
2005033716.tif 000004
【図３】
2005033716.tif 000005
【図４】
2005033716.tif 000006